(57)【要約】【課題】ポールがロック位置にある場合には、第１部材と第２部材との相対回転が禁止されると共に、第２カムは、ポールをロック位置方向に押すと共に、ポールをポールガイドに密着させるリクライニング装置に関し、安定したロック強度が得られるリクライニング装置を提供することを課題とする。【解決手段】  ２つの第２カム４４のうちの一方の第２カム４４は、第２ポール４２の相対回転の時計回り方向側に配置され、他方の第２カム４４は、第２’ポール４４’の相対回転の反時計回り方向側に配置されている。【選択図】図１
2019180882.tif 000002
【特許請求の範囲】
【請求項１】
内筒面に円周方向に沿って内歯が形成され、一方の面が開放面となった有底円筒状の第１部材と、
前記内歯と噛合可能な外歯を有した複数のポールと、
前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、
前記第１部材と前記第２部材との間で、回転可能に設けられ、ロック位置方向に前記ポールを押圧するカムと、
前記カムと前記ポールとの間に設けられ、前記ロック位置で前記カムに押されて、前記ポールと前記ポールガイドとに当接する第２カムと、
を有し、
前記ポールは２つの前記ポールガイドの間で案内され、
前記ポールがロック位置にある場合には、
前記第１部材と第２部材との相対回転が禁止されると共に、前記第２カムは、前記ポールをロック位置方向に押すと共に、前記ポールを前記ポールガイドに密着させるリクライニング装置であって、
前記第２カムは少なくとも２つあり、
前記第２カムの一方は、前記ポールの前記相対回転の時計回り方向側に配置され、
前記第２カムの他方は、前記ポールの前記相対回転の反時計回り方向側に配置されている
ことを特徴とするリクライニング装置。
【請求項２】
前記第２カムは２つであり、
前記相対回転の平面上で、前記相対回転の中心軸を通る直線を介して一方の側に２つの前記第２カムが配置され、
他方の側に、前記カムのみで前記ロック位置方向に押圧されるポールが配置される
ことを特徴とする請求項１記載のリクライニング装置。 
【発明の詳細な説明】
【技術分野】
【０００１】
本発明は、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、前記第１部材と前記第２部材との間で、回転可能に設けられ、ロック位置方向に前記ポールを押圧するカムと、前記カムと前記ポールとの間に設けられ、前記ロック位置で前記カムに押されて、前記ポールと前記ポールガイドとに当接する第２カムと、を有し、前記ポールは２つの前記ポールガイドの間で案内され、前記ポールがロック位置にある場合には、前記第１部材と第２部材との相対回転が禁止されると共に、前記第２カムは、前記ポールをロック位置方向に押すと共に、前記ポールを前記ポールガイドに密着させるリクライニング装置に関する。
【背景技術】
【０００２】
リクライニング装置の一例として、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、前記第１部材と前記第２部材との間で、回転可能に設けられ、ロック位置方向に前記ポールを押圧するカムと、前記カムと前記ポールとの間に設けられ、前記ロック位置で前記カムに押されて、前記ポールと前記ポールガイドとに当接する第２カムと、を有し、前記ポールは２つの前記ポールガイドの間で案内され、前記ポールがロック位置にある場合には、前記第１部材と第２部材との相対回転が禁止されると共に、前記第２カムは、前記ポールをロック位置方向に押すと共に、前記ポールを前記ポールガイドに密着させるものがある（例えば、特許文献１参照）。
【先行技術文献】
【特許文献】
【０００３】
【特許文献１】特開２０１３−２１６２０３号公報
【発明の概要】
【発明が解決しようとする課題】
【０００４】
しかし、特許文献１に記載された構造では、全ての（特許文献１では３つ）の第２カムが各ポールの相対回転の時計回り方向側にのみ、あるいは反時計回り方向側にのみに配置されている。
そして、一方のポールガイドには、各ポールの一方の側が密着しているが、他方のポールガイドには、各第２カムが密着し、各ポールの他方の側と他方のポールガイドとの間には、隙間が発生している。
【０００５】
よって、時計回転方向のロック強度と、反時計回転方向のロック強度との差が大きく、ロック強度が不安定である問題点がある。
本発明は、上記問題点に鑑みて成されたもので、その課題は、安定したロック強度が得られるリクライニング装置を提供することにある。
【課題を解決するための手段】
【０００６】
上述した課題のうち少なくとも一つを実現するために、本発明の一側面を反映したリクライニング装置は、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、前記第１部材と前記第２部材との間で、回転可能に設けられ、ロック位置方向に前記ポールを押圧するカムと、前記カムと前記ポールとの間に設けられ、前記ロック位置で前記カムに押されて、前記ポールと前記ポールガイドとに当接する第２カムと、を有し、前記ポールは２つの前記ポールガイドの間で案内され、前記ポールがロック位置にある場合には、前記第１部材と第２部材との相対回転が禁止されると共に、前記第２カムは、前記ポールをロック位置方向に押すと共に、前記ポールを前記ポールガイドに密着させるリクライニング装置であって、前記第２カムは少なくとも２つあり、前記第２カムの一方は、前記ポールの前記相対回転の時計回り方向側に配置され、前記第２カムの他方は、前記ポールの前記相対回転の反時計回り方向側に配置されていることを特徴とする。
【０００７】
本発明の他の特徴は、以下に述べる発明を実施するための形態並びに添付の図面から一層明らかになるであろう。
【発明の効果】
【０００８】
本発明のリクライニング装置によれば、前記第２カムは少なくとも２つあり、前記第２カムの一方は、前記ポールの前記相対回転の時計回り方向側に配置され、前記第２カムの他方は、前記ポールの前記相対回転の反時計回り方向側に配置されていることにより、時計回転方向のロック強度と、反時計回転方向のロック強度との差が少なくなり、ロック強度が安定する。
【０００９】
本発明の他の効果は、以下に述べる発明を実施するための形態並びに添付の図面から一層明らかになるであろう。
【図面の簡単な説明】
【００１０】
【図１】本実施形態のリクライニング装置の分解斜視図である。
【図２】図１の分解斜視図を逆方向から見た分解斜視図である
【図３】図２のリクライニング装置から第１部材の一部、ばね、レリーズプレートを除いた状態で、矢印III方向から見た平面図でアンロック状態を説明する図である。
【図４】図３においてロック状態を説明する図である。
【図５】本実施形態のリクライニング装置が設けられたシートの構成図である。
【発明を実施するための形態】
【００１１】
図面を用いて実施形態を説明する。
最初に、図５を用いて、本実施形態のリクライニング装置が設けられたシートの説明を行う。シート１は、着座者の臀部を支持するシートクッション２と、シートクッション２に対して前後方向に傾動可能に設けられ、着座者の背部を支持するシートバック３とからなっている。４はシートバック３の傾動の回転軸（Ｏ）上に設けられ、シートバック３の傾動を許可／禁止するリクライニング装置である。
【００１２】
また、このリクライニング装置４は、前倒れ状態から後ろ倒れ状態で傾動可能である。そして、初段ロック状態から後ろ倒れ状態までの間及び前倒れ状態では、シートバック３の傾動を許可／禁止可能となっているが、初段ロック状態から前倒れ状態までの間では、ロック解除保持機構により、ロック解除保持状態となり、操作レバーを操作しなくても、シートクッションの傾動が可能となっている。
【００１３】
本実施形態のリクライニング装置は、シートの左右に設けられ、構造は同じであるので、以下、一方の側のリクライニング装置４を説明する。
図１−図４を用いて、リクライニング装置４の説明を行う。図１は本実施形態のリクライニング装置の分解斜視図、図２は図１の分解斜視図を逆方向から見た分解斜視図、図３は図２のリクライニング装置から第１部材の一部、ばね、レリーズプレートを除いた状態で、矢印III方向から見た平面図でアンロック状態を説明する図、図４は図３においてロック状態を説明する図である。
【００１４】
図１、図２に示すように、シートバック３側に設けられるラチェット（第１部材）２１は、円板状の板材をプレスにより半抜加工した有底円筒状で、円形凹部２１ａが形成されている。この円形凹部２１ａの内周面には、内歯２３が円周方向全域に形成されている。また、円形凹部２１ａの中心には、シートバック３の傾動の回転軸（図１、図２において軸Ｏ）に沿って配置されるシャフト（図示せず）が遊挿される貫通した穴２１ｂが形成されている。尚、本実施形態の図示しないシャフトの断面形状は、円形でない形状（本実施形態では断面形状が小判形）とした。
【００１５】
シートクッション２側に設けられるベースプレート（第２部材）２５も、ラチェット２１と同様に円板状の板材をプレスにより半抜加工して形成され、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは相対回転可能となっている。また、ベースプレート２５の中心には、図示しないシャフトが遊挿される貫通した穴２５ｂが形成されている。
【００１６】
ラチェット２１の外周部と、ベースプレート２５の外周部とは、リング状の外周リング２７により挟持され、ラチェット２１とベースプレート２５とは、相対回転の軸Ｏ方向に分離されることなく、相対回転可能に保持されている。
ラチェット２１の円形凹部２１ａとベースプレート２５の円形凹部２５ａとが形成する空間には、カム３１が配置される。カム３１の中心には、図示しないシャフトが嵌合する穴（本実施形態では小判形）３１ａが形成されている。そして、図示しないシャフトとカム３１とは一体となって回転する。このため、この図示しないシャフトは、シートの両側部に設けられたリクライニング装置のうちの一方のリクライニング装置のカム３１の動きを他方のリクライニング装置のカムへ伝達する伝達部材となっている。又、カム３１には、ラチェット２１方向に突出する２つの突部３１ｃが形成されている。
【００１７】
カム３１の外周部には、図３、図４において時計回り方向に、第１突部３１ｄ、第２突部３１ｅ、第３突部３１ｇ、第４突部３１ｈ、第１突部３１ｄ、第３突部３１ｇ、第２突部３１ｅ、第４突部３１ｈの順で形成されている。更に、カム３１の穴３１ａに繋がるように、後述する２つの線細工ばね５１が係合する２つの穴３１ｆ、３１ｆ’が形成されている。
【００１８】
カム３１とラチェット２１の円形凹部２１ａとの間には、レリーズプレート３３が配置される。このレリーズプレート３３には、カム３１の２つの突部３１ｃが係合する穴３３ａが形成されている。この突部３１ｃと穴３３ａの係合により、カム３１とレリーズプレート３３とは一体となって回転する。又、レリーズプレート３３の中心部には、穴３３ｅが形成されている。
【００１９】
レリーズプレート３３とベースプレート２５の円形凹部２５ａとの間には、軸Ｏを中心とする円周方向に沿って、第１ポール（サブポール）４１，第１’ポール（サブポール）４１’と、第２ポール（メインポール）４２、第２’ポール（メインポール）４２’とが、配置されている。即ち、図３、図４において時計回り方向に、第１’ポール（サブポール）４１’、第２ポール（メインポール）４２、第１ポール（サブポール）４１、第２’ポール（メインポール）４２’の順で配置されている。尚、本実施形態では、第２ポール４２と第２’ポール４２’とは、相対回転の中心軸Ｏを通る直線（図４において線分Ｍ）を対称軸として線対称な形状とし、第１ポール４１、第１’ポール４１’、第２ポール４２、第２’ポール４２’は、軸Ｏを中心とする円周方向において略９０°ピッチで配置されている。更に、第１ポール４１、第１’ポール４１’は前後方向に、第２ポール４２、第２’ポール４２’は上下方向に、それぞれ対角配置されている。
【００２０】
第１ポール４１、第１’ポール４１’、第２ポール４２、第２’ポール４２’の内歯２３と対向する面には、内歯２３に噛合可能な外歯４１ａ、外歯４１ａ’、外歯４２ａ、外歯４２ａ’が形成されている。
第２ポール４２とカム３１との間、第２’ポール４２’とカム３１との間には、それぞれ第２カム４４が配置されている。
【００２１】
図３、図４に示すように、第１ポール４１の外歯４１ａが設けられた面と反対側の面には、カム３１の第１突部３１ｄ、第４突部３１ｈが当接可能で、同一形状の２つの第１被当接部４１ｂが形成されている。第１’ポール４１’の外歯４１ａ’が設けられた面と反対側の面には、カム３１の第１突部３１ｄ、第４突部３１ｈが当接可能で、同一形状の２つの第１被当接部４１ｂ’が形成されている。
【００２２】
また、第２ポール４２の外歯４２ａが設けられた面と反対側の面には、第２カム４４が当接可能な第１被当接部４２ｂと、カム３１の第３突部３１ｇが当接可能な第２被当接部４２ｃとが形成されている。第２’ポール４２’の外歯４２ａ’が設けられた面と反対側の面には、第２カム４４が当接可能な第１’被当接部４２ｂ’と、カム３１の第３突部３１ｇが当接可能な第２’被当接部４２ｃ’とが形成されている。
【００２３】
即ち、第２ポール４２と第２’ポール４２’とは、相対回転の中心軸Ｏを通る直線（図４において線分Ｍ）を対称軸として線対称な形状であるので、一方の第２カム４４は、第２’ポール４２’の相対回転の時計回り方向側に配置され、他方の第２カム４４は、第２ポール４２の相対回転の反時計回り方向側に配置されている。
【００２４】
また、相対回転の平面上で、相対回転の中心軸Ｏを通る直線（図４において線分Ｌ）を介して、一方の側に２つの第２カム４４が配置されている。
第２カム４４には、カム３１の第２突部３１ｅが当接可能な第１被当接部４４ｄと、後述するポールガイド突部（ポールガイド）３７に当接可能なガイド当接部４４ａと、第２ポール４２の第１被当接部４２ｂ、第２’ポール４２’の第１’被当接部４２ｂ’に当接可能な第１当接部４４ｂとが形成されている。
【００２５】
ベースプレート２５の円形凹部２５ａには、相対回転の軸Ｏを中心とする円の周方向に沿って、９０°ピッチで４つのポールガイド突部３７が形成されている。
隣接する２つのポールガイド突部３７により、第１ポール４１、第１’ポール４１’、第２ポール４２、第２’ポール４２’は相対回転の軸Ｏを中心とする円の径方向にのみ移動可能となっている。即ち、ポールガイド突部３７は、外歯４１ａ、外歯４１ａ’、外歯４２ａ、外歯４２ａ’がラチェット２１の内歯２３と噛合するロック位置，外歯４１ａ、外歯４１ａ’、外歯４２ａ、外歯４２ａ’がラチェット２１の内歯２３から離れたアンロック位置の間で、第１ポール４１、第１’ポール４１’、第２ポール４２、第２’ポール４２’を案内する。
【００２６】
レリーズプレート３３とラチェット２１の円形凹部２１ａとの間には、略Ｃ状に湾曲された２つの線細工ばね５１が配置される。
第１ポール４１、第１’ポール４１’、第２ポール４２、第２’ポール４２’の側部を挟むように設けられた隣接する２つのポールガイド突部（ポールガイド）３７には、それぞれ、第１ポール４１、第１’ポール４１’、第２ポール４２、第２’ポール４２’の一方の側部と対向する第１ポールガイド３７ａと、第１ポール４１、第１’ポール４１’、第２ポール４２、第２’ポール４２’の他方の側部と対向する第２ポールガイド３７ｂとが形成されている。
【００２７】
２つの線細工ばね５１の一方の端部側には、ベースプレート２５側に折曲された第１端部５１ａが形成され、他方の端部側には、ベースプレート２５側に折曲された第２端部５１ｂが形成されている。
そして、線細工ばね５１は、弾性変形した状態で、その第１端部５１ａは、レリーズプレート３３の穴３３ｅを通り、カム３１に形成された穴３１ｆに係合し、第２端部５１ｂは、第１ポールガイド３７ａの凹部３７ｆに挿入されている。
【００２８】
第１ポール４１、第１’ポール４１’、第２ポール４２、第２’ポール４２’がロック位置にある場合、図４に示すようにカム３１より力Ｆを受ける第２カム４４は、力Ｆの分力Ｆ’で第２ポール４２、第２’ポール４２’をロック位置方向に押すと共に、第２ポール４２、第２’ポール４２’をポールガイド突部３７の一方に押しつける。また、力Ｆの分力Ｆ”で，第２カム４４は、ポールガイド突部３７の他方を押す。
【００２９】
また、第１ポール４１、第１’ポール４１’はカム３１の第１突部３１ｄ、または第４突部３１ｈのみでロック位置方向に押圧される。
更にこの時、線分Ｌを介して第２カム４４が配置された側と反対側（図４において右側）の第１ポール４１、第２ポール４２、第２’ポール４２’はラチェット２１の内歯２３と遊びがない（ロック・アンロック方向に移動できない）状態で噛み合っており、線分Ｌを介して第２カム４４が配置された側（図４において左側）の第１’ポール４１’はラチェット２１の内歯２３と遊びがある（ロック・アンロック方向に移動できる）状態で噛み合っている。
【００３０】
本実施形態によれば、以下のような効果が得られる。
(1) 一方の第２カム４４は、第２’ポール４２’の相対回転の時計回り方向側に配置され、他方の第２カム４４は、第２ポール４２の相対回転の反時計回り方向側に配置されている。
【００３１】
よって、時計回転方向のロック強度と、反時計回転方向のロック強度との差が少なくなり、ロック強度が安定する。
(2) 相対回転の平面上で、相対回転の中心軸を通る直線（図４において、線分Ｌ）を介して、一方の側に２つの第２カム４４が配置され、他方の側に第２カム４４が配置されず、カム３１のみでロック位置方向に押圧される第１ポール４１が配置されることにより、相対回転の中心軸を通る直線（図４において、線分Ｌ）を介して３点で噛み合いがあり、大きなロック強度が得られる。
【００３２】
(3) 第２ポール４２、第２’ポール４２’は上下方向に対角配置されているので、遊びがない噛合が上下方向となり、前後方向の振動によるガタが発生しない。
本発明は、上記実施形態に限定するものではなく、下記のような形態でもよい
(1) 第２ポール４２と第２’ポール４２’は、必ずしも対角配置ではなくてもよい。
【００３３】
(2) 上記実施形態は、４つのポールで説明を行ったが、３つのポールでも可能である。この場合、３つのポールのうち、２つは第２ポール、第２’ポールで、第２ポール、第２’ポール、第２カムは対角に設けることが好ましい。
(3) ポールが５つ以上ある場合でも可能である。この場合、第２カムは少なくとも２つあり、第２カムのうちの一組の第２カムは対角配置されることが好ましい。
【００３４】
(4)  上記実施形態では、カム３１を付勢するばね（第１ばね）と、第２ポール４２を一方のポールガイド突部（ポールガイド）３７に押しつけるばね（第２ばね）を同一の線細工ばね５１としたが、それぞれ別のばねを設けても良い。
(5) 上記実施形態では、線細工ばね５１の第１端部５１ａは、カム３１に係合し、カム３１を付勢したが、カム３１と一体となって回転するレリーズプレート３３に係合させてもよい。
【符号の説明】
【００３５】
２１  ラチェット（第１部材）
２５  ベースプレート（第２部材）
３１  カム
３７  ポールガイド
４１  第１ポール
４１’  第１’ポール
４２  第２ポール
４２’  第２’ポール
４４  第２カム
５１  線細工ばね
【図１】
2019180882.tif 000003
【図２】
2019180882.tif 000004
【図３】
2019180882.tif 000005
【図４】
2019180882.tif 000006
【図５】
2019180882.tif 000007